(57)【要約】【課題】天井に設置される空気調和装置の室内ユニット（10）について、吹出口（22）の面積を十分に確保して居室者の快適性を向上させる。【解決手段】ケーシング（34）内に、ケーシング（34）の側壁と室内熱交換器（38）とに挟まれた空気通路（15）と、空気通路（15）の下端から下方へ延びてその出口となる吹出口（22）がケーシング（34）の下面に開口する吹出通路（14）とを形成する。そして、吹出通路（14）を、空気通路（15）の下端からドレンパン（40）の下方へ拡大する形状にする。【選択図】図１
2008039325.tif 000002
【特許請求の範囲】
【請求項１】
天井に設置されるケーシング（34）と、
上記ケーシング（34）内に設けられる室内ファン（39）と、
上記ケーシング（34）内における上記室内ファン（39）の下流側に配置される室内熱交換器（38）と、
上記ケーシング（34）内における上記室内熱交換器（38）の下側に配置されるドレンパン（40）とを備える空気調和装置の室内ユニットであって、
上記ケーシング（34）内には、該ケーシング（34）の側壁と上記室内熱交換器（38）とに挟まれた空気通路（15）と、該空気通路（15）の下端から下方へ延びてその出口となる吹出口（22）が該ケーシング（34）の下面に開口する吹出通路（14）とが形成され、
上記吹出通路（14）は、上記空気通路（15）の下端から上記ドレンパン（40）の下方へ拡大する形状となっていることを特徴とする空気調和装置の室内ユニット。
【請求項２】
請求項１において、
上記吹出通路（14）は、外側の第１吹出通路（14a）と内側の第２吹出通路（14b）とに区画され、
上記第２吹出通路（14b）は、その上端で上記第１吹出通路（14a）に連通していることを特徴とする空気調和装置の室内ユニット。
【請求項３】
請求項２において、
上記第２吹出通路（14b）の上端を上記第１吹出通路（14a）に連通させる連通部（17）を開閉する開閉機構（19）を備えていることを特徴とする空気調和装置の室内ユニット。
【請求項４】
請求項３において、
上記空気調和装置は、冷房運転と暖房運転とを選択的に実行可能に構成されており、
上記開閉機構（19）は、上記冷房運転中には上記連通部（17）が開状態になるように設定され、上記暖房運転中には該連通部（17）が閉状態になるように設定されることを特徴とする空気調和装置の室内ユニット。
【請求項５】
請求項１乃至４の何れか１つにおいて、
上記ケーシング（34）は、室内ファン（39）と室内熱交換器（38）とドレンパン（40）とを収容する箱状のケーシング本体（26）と、該ケーシング本体（26）の下面に取り付けられる化粧パネル（27）とを備える一方、
上記吹出通路（14）は、上記化粧パネル（27）に形成されていることを特徴とする空気調和装置の室内ユニット。
【請求項６】
請求項１乃至５の何れか１つにおいて、
上記ケーシング（34）は、その上面に吸込口（23）が形成されていることを特徴とする空気調和装置の室内ユニット。
【発明の詳細な説明】
【技術分野】
【０００１】
本発明は、室内空間の天井に設置される空気調和装置の室内ユニットに関するものである。
【背景技術】
【０００２】
従来より、空調空間の天井に設置されて室内空間の空気調和を行う空気調和装置の室内ユニットが知られている。特許文献１には、この種の室内ユニットが開示されている。
【０００３】
具体的に、特許文献１の室内ユニットは、内部に各種構成機器を収容するケーシングを備えている。ケーシングは、箱状のケーシング本体と、ケーシング本体の下面に取り付けられる化粧パネルとを備えている。ケーシング本体の内部には、送風機と熱交換器とドレンパンとが設けられている。送風機は、ケーシング本体の真ん中付近に配置されている。熱交換器は、平面視でロ字状に形成され、送風機の側方を囲むように配置されている。ドレンパンは、熱交換器の下側に設けられている。化粧パネルには、吸込口と吹出口とが形成されている。吸込口は、送風機の下側に位置している。吹出口は、４つ形成され、それぞれがケーシングの側壁とドレンパンとの間の下方に位置している。
【特許文献１】特開２００５−２４１２４３号公報
【発明の開示】
【発明が解決しようとする課題】
【０００４】
ところで、空気調和装置の室内ユニットでは、吹出口の面積を大きくすると、吹出風速が低下するので、静音性やドラフト感の面で居室者の快適性を向上させることが可能である。しかし、従来の室内ユニットでは、吹出口を出口端とする吹出通路がケーシング内におけるドレンパンの外側に形成され、これに伴って吹出口がケーシングの側壁とドレンパンとの間の下方に位置する比較的幅の狭い領域に形成されていた。このため、吹出口の面積を十分に確保することが困難であった。
【０００５】
本発明は、かかる点に鑑みてなされたものであり、その目的とするところは、天井に設置される空気調和装置の室内ユニットについて、吹出口の面積を十分に確保して居室者の快適性を向上させることにある。
【課題を解決するための手段】
【０００６】
第１の発明は、天井に設置されるケーシング（34）と、上記ケーシング（34）内に設けられる室内ファン（39）と、上記ケーシング（34）内における上記室内ファン（39）の下流側に配置される室内熱交換器（38）と、上記ケーシング（34）内における上記室内熱交換器（38）の下側に配置されるドレンパン（40）とを備える空気調和装置の室内ユニット（10）を対象とする。そして、この室内ユニット（10）は、上記ケーシング（34）内には、該ケーシング（34）の側壁と上記室内熱交換器（38）とに挟まれた空気通路（15）と、該空気通路（15）の下端から下方へ延びてその出口となる吹出口（22）が該ケーシング（34）の下面に開口する吹出通路（14）とが形成され、上記吹出通路（14）は、上記空気通路（15）の下端から上記ドレンパン（40）の下方へ拡大する形状となっている。
【０００７】
第１の発明では、ケーシング（34）内において、吹出通路（14）が、空気通路（15）の下端からドレンパン（40）の下方へ拡大する形状となっている。つまり、吹出通路（14）は、空気通路（15）の下側だけでなく、少なくともドレンパン（40）の下側にも形成されている。そして、吹出通路（14）の出口である吹出口（22）が、空気通路（15）の下側となる、ケーシング（34）の側壁とドレンパン（40）との間の下方に位置する領域だけでなく、少なくともドレンパン（40）の下側の領域にも形成されている。
【０００８】
第２の発明は、上記第１の発明において、上記吹出通路（14）が、外側の第１吹出通路（14a）と内側の第２吹出通路（14b）とに区画され、上記第２吹出通路（14b）が、その上端で上記第１吹出通路（14a）に連通している。
【０００９】
第２の発明では、吹出通路（14）を、外側の第１吹出通路（14a）と内側の第２吹出通路（14b）とに区画している。第２吹出通路（14b）は、その上端で第１吹出通路（14a）に連通しており、空気通路（15）を流通した空気が流入可能になっている。
【００１０】
第３の発明は、上記第２の発明において、上記第２吹出通路（14b）の上端を上記第１吹出通路（14a）に連通させる連通部（17）を開閉する開閉機構（19）を備えている。
【００１１】
また、第３の発明では、開閉機構（19）が連通部（17）を開閉する。開閉機構（19）が連通部（17）を開状態にすると、室内熱交換器（38）を通過した空気が、第２吹出通路（14b）がその上端において第１吹出通路（14a）に連通する状態になり、第１吹出通路（14a）の出口と第２吹出通路（14b）の出口との両方から室内空間へ吹き出される。開閉機構（19）が連通部（17）を閉状態にすると、第２吹出通路（14b）がその上端において第１吹出通路（14a）に連通しない状態になり、室内熱交換器（38）を通過した空気が第１吹出通路（14a）の出口のみから室内空間へ吹き出される。連通部（17）を開状態にした場合に比べて閉状態にした場合の方が、吹出口（22）のうち空気が吹き出される部分の面積が小さいので、吹出風速が大きくなる。この第３の発明では、開閉機構（19）が連通部（17）を閉状態にすることにより、吹出風速が大きい状態にすることが可能である。
【００１２】
第４の発明は、上記第３の発明において、上記空気調和装置が、冷房運転と暖房運転とを選択的に実行可能に構成されており、上記開閉機構（19）は、上記冷房運転中には上記連通部（17）が開状態になるように設定され、上記暖房運転中には該連通部（17）が閉状態になるように設定される。
【００１３】
第４の発明では、冷房運転中には連通部（17）を開状態にし、暖房運転中には連通部（17）を閉状態にする。つまり、冷房運転中は吹出風速が小さい状態にし、暖房運転中は吹出風速が大きい状態にする。
【００１４】
第５の発明は、上記第１乃至第４の何れか１つの発明において、上記ケーシング（34）が、室内ファン（39）と室内熱交換器（38）とドレンパン（40）とを収容する箱状のケーシング本体（26）と、該ケーシング本体（26）の下面に取り付けられる化粧パネル（27）とを備える一方、上記吹出通路（14）が、上記化粧パネル（27）に形成されている。
【００１５】
第５の発明では、吹出通路（14）が、化粧パネル（27）において空気通路（15）の下端からドレンパン（40）の下方へ拡大している。つまり、吹出口（22）を従来に比べて大きくするための構成が、化粧パネル（27）にのみ形成されている。
【００１６】
第６の発明は、上記第１乃至第５の何れか１つの発明において、上記ケーシング（34）は、その上面に吸込口（23）が形成されている。
【００１７】
第６の発明では、ケーシング（34）の上面に吸込口（23）が形成され、ケーシング（34）の下面に吹出口（22）が形成されている。この室内ユニット（10）では、吹出口（22）から離れた位置に吸込口（23）が形成されている。従って、吹出口（22）から吹き出された空気がそのまま吸込口（23）から吸い込まれる、いわゆるショートサーキットが防止される。
【発明の効果】
【００１８】
本発明では、吹出通路（14）を空気通路（15）の下端からドレンパン（40）の下方へ拡大する形状にすることで、吹出口（22）が、ケーシング（34）の側壁とドレンパン（40）との間の下方に位置する領域だけでなく、少なくともドレンパン（40）の下側の領域にも形成されるようにしている。従って、ケーシング（34）の側壁とドレンパン（40）との間の下方に位置する領域にのみ吹出口（22）が形成されている従来の室内ユニットに比べて、吹出口（22）の面積が広くなっている。よって、吹出口（22）から吹き出される空気の風速である吹出速度を従来に比べて低減させることができるので、吹出音が低減されて静音性の面から居室者の快適性を向上させることができ、吹出口（22）から吹き出されて居室者にあたる空気の風速が低減されてドラフト感の面から居室者の快適性を向上させることができる。
【００１９】
また、上記第３の発明よれば、開閉機構（19）が連通部（17）を閉状態にすることで、吹出風速が大きい状態にすることができる。従って、運転状態や室内空間の状態などによっては吹出風速を敢えて大きくすることで、室内空気の温度を均一化することができ、居室者の快適性を向上させることができる。
【００２０】
また、上記第４の発明では、冷房運転中は吹出風速が小さい状態にし、暖房運転中は吹出風速が大きい状態にするようにしている。従って、冷房運転中は吹出口（22）から吹き出されて居室者にあたる空気の風速が抑制されるので、ドラフト感を低減して居室者の快適性を向上させることができる。また、暖房運転中は吹出口（22）からの空気を室内空間の床面付近まで到達させることができるので、暖気を居室者の周囲にゆき渡らせて居室者の快適性を向上させることができる。
【００２１】
また、上記第５の発明では、吹出通路（14）を化粧パネル（27）に形成することで、吹出口（22）を従来に比べて大きくするための構成が化粧パネル（27）にのみ形成されるようにしている。従って、ケーシング本体（26）の構成を従来から変更することなく化粧パネル（27）の構成のみを変更することによって、吹出口（22）の面積が従来に比べて大きい室内ユニット（10）を構成することができる。
【００２２】
また、上記第６の発明では、ケーシング（34）の上面に吸込口（23）を形成し、ケーシング（34）の下面に吹出口（22）を形成することで、ショートサーキットを防止している。ここで、吸込口（23）がケーシング（34）の下面に形成された室内ユニットでは、本発明のように吹出面積を従来に比べて大きくして吹出風速を低下させると、ショートサーキットのおそれが増加する。従って、この第６の発明では、ショートサーキットによる空調効率の低下を招くことなく、吹出速度を低減させて静音性やドラフト感の面から居室者の快適性を向上させることができる。
【発明を実施するための最良の形態】
【００２３】
以下、本発明の実施形態を図面に基づいて詳細に説明する。
【００２４】
本実施形態の空気調和装置の室内ユニット（10）は、図示しない室外ユニットと共に空気調和装置を構成している。室内ユニット（10）は、冷媒配管を介して室外ユニットに接続される。この空気調和装置は、冷房運転と暖房運転とを選択的に実行可能に構成されている。
【００２５】
本実施形態の室内ユニット（10）は、システム天井に設置される室内ユニット（10）である。システム天井では、図１に示すように、格子状の枠部材（30）の各枠に、室内ユニット（10）と共に天井板（31）などが設置されている。システム天井では、天井板（31）の周囲の隙間を空気が流通するので、天井裏の空気環境が室内空間とほぼ同じである。このため、この室内ユニット（10）は、天井裏の空気を吸い込んで室内空間へ吹き出すように構成されている。
【００２６】
図１及び図２に示すように、室内ユニット（10）は、略直方体状のケーシング（34）を備えている。ケーシング（34）は、平面形状がシステム天井の枠部材（30）の枠に合わせて形成されており、箱状のケーシング本体（26）と、ケーシング本体（26）の下面に取り付けられる化粧パネル（27）とを備えている。ケーシング本体（26）には、室内ファン（39）と室内熱交換器（38）とドレンパン（40）とが収容されている。ケーシング本体（26）の上面には、吸込口（23）が形成されている。化粧パネル（27）には、吹出口（22）が形成されている。なお、図示しないが、吸込口（23）の裏側には、吸込空気の塵埃を除去するためのフィルタが設けられている。
【００２７】
室内ファン（39）は、いわゆるターボファンとして構成されている。室内ファン（39）は、ケーシング本体（26）の真ん中付近に配置され、吸込口（23）の下側に位置している。室内ファン（39）は、ファンモータ（39a）と羽根車（39b）とを備えている。ファンモータ（39a）は、ケーシング本体（26）の底板に固定されている。羽根車（39b）は、ファンモータ（39a）の回転軸に連結されている。室内ファン（39）の上側には、吸込口（23）に連通するベルマウス（25）が設けられている。室内ファン（39）は、ベルマウス（25）を介して上側から吸い込んだ空気を側方へ吹き出すように構成されている。
【００２８】
室内熱交換器（38）は、クロスフィン式のフィン・アンド・チューブ型熱交換器として構成されている。室内熱交換器（38）は、平面視でロ字状に形成され、室内ファン（39）の側方を囲うように配置されている。室内熱交換器（38）では、４角のうちの１箇所が僅かに開口している。その開口を挟む室内熱交換器（38）の端部の一方には、ケーシング（34）の側面に設けられた接続ポートから延びるガス側冷媒配管と液側冷媒配管とが接続されている（図示省略）。これら接続ポートには、室外ユニットからの冷媒配管が接続される。
【００２９】
ドレンパン（40）は、室内熱交換器（38）の下側に設けられている。ドレンパン（40）は、室内熱交換器（38）において空気中の水分が凝縮されて生じるドレン水を受けるためのものである。ドレンパン（40）には、ドレン水を排水するためのドレンポンプが設けられている（図示省略）。ドレンパン（40）は、ドレンポンプを設置した箇所にドレン水が集まるように勾配がつけられている。
【００３０】
ケーシング（34）には、空気通路（15）と吹出通路（14）とが形成されている。空気通路（15）は、ケーシング本体（26）の側壁と室内熱交換器（38）とに挟まれている。空気通路（15）は、ケーシング本体（26）の天板からドレンパン（40）の下端の高さまで形成されている。吹出通路（14）は、空気通路（15）の下端から化粧パネル（27）の下面まで形成されており、化粧パネル（27）の吹出口（22）で開口している。吹出通路（14）は、ドレンパン（40）の下側において、ドレンパン（40）側である内側へ拡大している。吹出通路（14）は、仕切壁（18）により外側の第１吹出通路（14a）と内側の第２吹出通路（14b）とに区画されている。仕切壁（18）は化粧パネル（27）の上面から下面まで形成されており、第２吹出通路（14b）の上端は仕切壁（18）の上端とドレンパン（40）の下面との間の連通部（17）を通じて第１吹出通路（14a）に連通している。
【００３１】
ドレンパン（40）の外側壁の下端付近には、連通部（17）を開閉するための開閉機構であるダンパ（19）が設けられている。ダンパ（19）は、ドレンパン（40）に固定される軸部材を中心に内側へ回転可能に構成されている。ダンパ（19）を閉状態にすると、第１吹出通路（14a）と第２吹出通路（14b）とが連通しない状態になる。。ダンパ（19）を開状態にすると、第１吹出通路（14a）と第２吹出通路（14b）とが連通する状態になる。
【００３２】
図３示すように、吹出口（22）は、化粧パネル（27）に４箇所形成されている。各吹出口（22）は、化粧パネル（27）の各辺に沿うように形成されている。各吹出口（22）は、それぞれが仕切壁（18）によって外側の第１吹出領域（22a）と内側の第２吹出領域（22b）とに区画されている。第１吹出領域（22a）と第２吹出領域（22b）とは、共に細長い矩形状に形成されている。第１吹出領域（22a）は第１吹出通路（14a）の下端に位置している。第２吹出領域（22b）は第２吹出通路（14b）の下端に位置している。
【００３３】
室内ユニット（10）には、ダンパ（19）の開閉を制御するコントローラが設けられている（図示省略）。コントローラがダンパ（19）の開閉を制御すると、吹出口（22）のうち空気が吹き出される部分の面積である吹出面積が変化する。コントローラは、冷房運転と暖房運転とで吹出面積を変更するように構成されており、暖房運転中に比べて冷房運転中の方が吹出面積を大きくする。
【００３４】
具体的に、コントローラは、暖房運転時にはダンパ（19）を閉状態に設定し、冷房運転時にはダンパ（19）を開状態に設定する。ダンパ（19）が閉状態に設定されると、室内熱交換器（38）を通過した空気が第１吹出通路（14a）を通じて第１吹出領域（22a）のみから室内空間へ吹き出される。ダンパ（19）が開状態に設定されると、室内熱交換器（38）を通過した空気が、第１吹出通路（14a）を通じて第１吹出領域（22a）から室内空間へ吹き出されると共に第２吹出通路（14b）を通じて第２吹出領域（22b）から室内空間へ吹き出される。
【００３５】
−実施形態の効果−
上記実施形態によれば、吹出通路（14）を空気通路（15）の下端からドレンパン（40）の下方へ拡大する形状にすることで、吹出口（22）が、ケーシング（34）の側壁とドレンパン（40）との間の下方に位置する領域だけでなく、ドレンパン（40）の下側の領域にも形成されるようにしている。従って、ケーシング（34）の側壁とドレンパン（40）との間の下方に位置する領域にのみ吹出口（22）が形成されている従来の室内ユニットに比べて、吹出口（22）の面積が広くなっている。よって、吹出口（22）から吹き出される空気の風速である吹出速度を従来に比べて低減させることができるので、静音性やドラフト感の面から居室者の快適性を向上させることができる。
【００３６】
また、上記実施形態では、開閉機構（19）が連通部（17）を閉状態にすることで、吹出風速が大きい状態にすることができる。従って、運転状態や室内空間の状態などによっては吹出風速を敢えて大きくすることで、室内空気の温度を均一化することができ、居室者の快適性を向上させることができる。
【００３７】
また、上記実施形態では、冷房運転中は吹出風速が小さい状態にし、暖房運転中は吹出風速が大きい状態にするようにしている。従って、冷房運転中は吹出口（22）から吹き出されて居室者にあたる空気の風速が抑制されるので、ドラフト感を低減して居室者の快適性を向上させることができる。また、暖房運転中は吹出口（22）からの空気が室内空間の天井付近に滞留することが抑制されるので、暖気を居室者の周囲にゆき渡らせて居室者の快適性を向上させることができる。
【００３８】
また、上記実施形態では、ケーシング（34）の上面に吸込口（23）を形成し、ケーシング（34）の下面に吹出口（22）を形成することで、ショートサーキットを防止している。ここで、吸込口（23）がケーシング（34）の下面に形成された室内ユニットでは、本実施形態のように吹出面積を従来に比べて大きくして吹出風速を低下させると、ショートサーキットのおそれが増加する。従って、この実施形態では、ショートサーキットによる空調効率の低下を招くことなく、吹出速度を低減させて静音性やドラフト感の面から居室者の快適性を向上させることができる。
【００３９】
−実施形態の変形例１−
実施形態の変形例１について説明する。この変形例１では、図４に示すように、吹出通路（14）が、仕切壁（18）によって区画されておらず、ダンパ（19）も設けられていない。この変形例１の室内ユニット（10）は、吹出面積が常に一定であり、吹出風速が常に比較的小さい状態で運転される。
【００４０】
−実施形態の変形例２−
実施形態の変形例２について説明する。この変形例２では、図５に示すように、吹出通路（14）が、化粧パネル（27）のみに形成されており、その化粧パネル（27）で第１吹出通路（14a）と第２吹出通路（14b）とに区画されている。第１吹出通路（14a）と第２吹出通路（14b）とは、化粧パネル（27）の上面から下面に至るまで形成されている。この変形例１では、仕切壁（18）が化粧パネル（27）の下面から真ん中付近の高さまで形成されている。
【００４１】
この変形例２では、第１吹出通路（14a）と第２吹出通路（14b）とが、ケーシング本体（26）の底板と仕切壁（18）の上端との間の連通部（17）を通じて連通している。この連通部（17）を開閉するダンパ（19）は、仕切壁（18）の上端付近に設けられている。ダンパ（19）は、仕切壁（18）に固定される軸部材を中心に外側へ回転可能に構成されている。
【００４２】
この変形例２では、吹出通路（14）を化粧パネル（27）に形成することで、吹出口（22）を従来に比べて大きくするための構成が化粧パネル（27）にのみ形成されるようにしている。従って、ケーシング本体（26）の構成を従来から変更することなく化粧パネル（27）の構成のみを変更することによって、吹出口（22）の面積が従来に比べて大きい室内ユニット（10）を構成することができる。
【００４３】
また、この変形例２の化粧パネル（27）によれば、例えば既設の室内ユニット（10）の吹出面積を拡大することができる。
【００４４】
−実施形態の変形例３−
実施形態の変形例３について説明する。この変形例３では、コントローラが、通常運転モードと足元運転モードとを選択的に行うように構成されている。具体的に、通常運転モードでは、コントローラはダンパ（19）を開状態に設定する。足元運転モードでは、コントローラはダンパ（19）を閉状態に設定する。足元運転モードを実行すると、吹出口（22）から吹き出される空気の吹出風速が、通常運転モードに比べて大きくなる。従って、吹出口（22）からの空気をユーザーの足元までゆき渡らせて、室内空間の温度を均一化することが可能になる。なお、通常運転モードと足元運転モードとをユーザーが選択することができるようにしてもよい。
【００４５】
−実施形態の変形例４−
実施形態の変形例４について説明する。この変形例４では、コントローラが、通常運転モードと静音運転モード（ドラフトレス運転モード）とを選択的に行うように構成されている。具体的に、通常運転モードでは、コントローラはダンパ（19）を閉状態に設定する。静音運転モードでは、コントローラはダンパ（19）を開状態に設定する。静音運転モードを実行すると、吹出口（22）から吹き出される空気の吹出風速が、通常運転モードに比べて小さくなる。従って、静音性やドラフト感の点から通常運転に比べてユーザーの快適性が向上する。なお、通常運転モードと静音運転モードとをユーザーが選択することができるようにしてもよい。
【００４６】
《その他の実施形態》
上記実施形態は、以下の変形例のように構成してもよい。
【００４７】
−第１変形例−
上記実施形態について、図６に示すように、吹出通路（14）が、ドレンパン（40）の下側だけでなくさらに室内ファン（39）の下側にまで広がっていてもよい。
【００４８】
−第２変形例−
上記実施形態について、図７に示すように、室内熱交換器（38）及び室内ファン（39）の上側に吸込口（23）から室内ファン（39）へ向かう空気が流れる吸込通路（21）が形成されていてもよい。この場合、吸込口（23）は、例えばケーシング本体（26）の側壁の上部に形成される。
【００４９】
−第３変形例−
上記実施形態について、室内ユニット（10）をシステム天井ではなく通常の天井に設置してもよい。この場合は、吸込口（23）が化粧パネル（27）に形成される。室内ファン（39）は、ファンモータ（39a）がケーシング本体（26）の天板に取り付けられる。室内ファン（39）は、空気を下側から吸い込んで周方向へ吹き出す。
【００５０】
−第４変形例−
上記実施形態について、図８に示すように、ケーシング本体（26）内に１組の室内熱交換器（38）及び室内ファン（39）を備える室内ユニット（10）として構成してもよい。室内ファン（39）には、例えばいわゆるシロッコファンを用いる。なお、吹出口（22）は、室内の空気を吸い込むことができるようにケーシング（34）の下面に設けてもよいし、天井裏の空気を吸い込むことができるようにケーシング（34）の側面に設けてもよい。
【００５１】
−第５変形例−
上記実施形態について、本発明に係る室内ユニット（10）を、吹出口（22）が化粧パネル（27）に２箇所形成された２方向吹出の室内ユニットとして構成してもよい。この場合、ケーシング本体（26）には、平板状の室内熱交換器（38）が２つ設けられる。そして、室内熱交換器（38）は、室内ファン（39）を挟むように対面して配置される。吹出口（22）は、化粧パネル（27）の中央部を挟むように対面して配置される。なお、本発明に係る室内ユニット（10）を、２方向や４方向以外の複数方向吹出の室内ユニットとして構成してもよい。
【００５２】
−第６変形例−
上記実施形態について、仕切壁（18）を設ける場合は、吹出通路（14）が３つ以上に区画されていてもよい。この場合、第２吹出通路（14b）の内側に、第２吹出通路（14b）に連通する吹出通路を形成する。
【００５３】
なお、以上の実施形態は、本質的に好ましい例示であって、本発明、その適用物、あるいはその用途の範囲を制限することを意図するものではない。
【産業上の利用可能性】
【００５４】
以上説明したように、本発明は、室内空間の天井に設置される空気調和装置の室内ユニットについて有用である。
【図面の簡単な説明】
【００５５】
【図１】本発明の実施形態に係る室内ユニットの断面図である。
【図２】本発明の実施形態に係る室内ユニットのケーシング本体の内部の平面図である。
【図３】本発明の実施形態に係る室内ユニットの化粧パネルを室内空間から見た平面図である。
【図４】本発明の実施形態の変形例１に係る室内ユニットの断面図である。
【図５】本発明の実施形態の変形例２に係る室内ユニットの断面図である。
【図６】その他の実施形態の第１変形例に係る室内ユニットの断面図である。
【図７】その他の実施形態の第２変形例に係る室内ユニットの断面図である。
【図８】その他の実施形態の第４変形例に係る室内ユニットの断面図である。
【符号の説明】
【００５６】
10  室内ユニット
14  吹出通路
14a 第１吹出通路
14b 第２吹出通路
17  連通部
19  ダンパ（開閉機構）
22  吹出口
23  吸込口
26  ケーシング本体
27  化粧パネル
34  ケーシング
38  室内熱交換器
39  室内ファン
40  ドレンパン
【図１】
2008039325.tif 000003
【図２】
2008039325.tif 000004
【図３】
2008039325.tif 000005
【図４】
2008039325.tif 000006
【図５】
2008039325.tif 000007
【図６】
2008039325.tif 000008
【図７】
2008039325.tif 000009
【図８】
2008039325.tif 000010